(57)【要約】【課題】ブラケットを介して幕板をデッキに容易に取り付けることができ、しかも幕板が外れるのを防止することができるデッキの幕板取り付け構造を提供する。【解決手段】デッキは、脚部材の上に形成された支持体と、支持体の上に形成された床板３とを備え、ブラケット１６１は、床板３の周縁部の下方において支持体に結合される結合部１６１ａと、支持体の被結合面から離間した位置において上方に突設された係止部１６１ｆとを備え、幕板６１は、支持体及び床板３の周縁部の外方に配置される外壁部６１ａと、外壁部６１ａからデッキの内方側に突出し、床板３の周縁部の下方に配置される内方延接部６１ｅと、ブラケット１６１の係止部１６１ｆに上方から係止可能なように内方延接部６１ｅから下方に突設された被係止部６１ｆとを備えている。【選択図】図１２
2016044441.tif 000002
【特許請求の範囲】
【請求項１】
幕板をブラケットを介してデッキの周縁部に取り付けるデッキの幕板取り付け構造であって、
上記デッキは、脚部材の上に形成された支持体と、支持体の上に形成された床板とを備え、
上記ブラケットは、床板の周縁部の下方において支持体に結合される結合部と、支持体の被結合面から離間した位置において上方に突設された係止部とを備え、
上記幕板は、支持体及び床板の周縁部の外方に配置される外壁部と、外壁部からデッキの内方側に突出し、床板の周縁部の下方に配置される内方延接部と、ブラケットの係止部に上方から係止可能なように内方延接部から下方に突設された被係止部とを備えていることを特徴とするデッキの幕板取り付け構造。
【請求項２】
請求項１に記載のデッキの幕板取り付け構造において、
上記ブラケットは、結合部よりも下方に位置する下部係止部をさらに備え、
上記幕板は、ブラケットの下部係止部の下端部に下方から係止される下部被係止部をさらに備えていることを特徴とするデッキの幕板取り付け構造。
【請求項３】
請求項２に記載のデッキの幕板取り付け構造において、
上記ブラケットは、ブラケットに取り付けられる幕板がその下部被係止部を中心としてデッキの外方から内方側に回動させられるときに幕板の被係止部をブラケットの係止部に案内する湾曲部をさらに備えることを特徴とするデッキの幕板取り付け構造。
【請求項４】
請求項３に記載のデッキの幕板取り付け構造において、
上記湾曲部にスリットが設けられていることを特徴とするデッキの幕板取り付け構造。
【請求項５】
請求項１から４のいずれか１項に記載のデッキの幕板取り付け構造において、
上記幕板は、デッキの周縁部に取り付けられた状態で、床板の周縁部の上面を覆う上壁部をさらに備えていることを特徴とするデッキの幕板取り付け構造。
【発明の詳細な説明】
【技術分野】
【０００１】
本発明は、デッキにおける幕板の取り付け構造に関する。
【背景技術】
【０００２】
住宅等の建物に設けられるデッキは、施工地盤に脚部材を立設し、脚部材の上に大引を配設し、大引の上に根太を配設して、大引と根太とで格子状の支持体を形成し、この支持体の上にパネルを敷設して床板を形成し、支持体及び床板の周縁部に化粧板としての幕板を取り付けたものである。
【０００３】
幕板の取り付け構造として、特許文献１に開示されるように、根太にブラケットを固定し、ブラケット及び幕板にそれぞれ係止部を設けて、これらの係止部を介してブラケットに幕板を取り付けることにより、幕板をビス止め等することなく、デッキの周縁部に取り付けるものが知られている。これによれば、幕板を貫通するビス等によって幕板の外観が損なわるという不具合がない。
【先行技術文献】
【特許文献】
【０００４】
【特許文献１】特許第３４０４６６３号公報（特に図２）
【発明の概要】
【発明が解決しようとする課題】
【０００５】
上記特許文献１に開示される幕板は、ブラケットとのみ係合し、他の部材とは係合関係にないため、上方に簡単に外れる可能性がある。
【０００６】
そこで、本発明は、ブラケットを介して幕板をデッキに容易に取り付けることができ、しかも幕板が外れるのを防止することができるデッキの幕板取り付け構造の提供を目的とする。
【課題を解決するための手段】
【０００７】
上記課題を解決するためのものとして、本発明は、幕板をブラケットを介してデッキの周縁部に取り付けるデッキの幕板取り付け構造であって、上記デッキは、脚部材の上に形成された支持体と、支持体の上に形成された床板とを備え、上記ブラケットは、床板の周縁部の下方において支持体に結合される結合部と、支持体の被結合面から離間した位置において上方に突設された係止部とを備え、上記幕板は、支持体及び床板の周縁部の外方に配置される外壁部と、外壁部からデッキの内方側に突出し、床板の周縁部の下方に配置される内方延接部と、ブラケットの係止部に上方から係止可能なように内方延接部から下方に突設された被係止部とを備えていることを特徴とする。
【０００８】
本発明によれば、幕板の内方延接部と被係止部とを床板の周縁部の下方（床板の周縁部の下面とブラケットの係止部との間）に挿入するだけで被係止部をブラケットの係止部に係止させることができる。そのため、幕板をデッキに容易に取り付けることができる。また、床板の周縁部の下方で、幕板の被係止部がブラケットの係止部に上方から係止しているので、ブラケットを介してデッキの周縁部にいったん取り付けた幕板は、上方に外そうとすると、幕板の被係止部が床板の周縁部の下面に当接して外れず、外方に外そうとすると、幕板の被係止部とブラケットの係止部との係止により外れない。そのため、幕板が外れるのを防止することができる。これにより、ブラケットを介して幕板をデッキに容易に取り付けることができ、しかも幕板が外れるのを防止することができるデッキの幕板取り付け構造が提供される。
【０００９】
本発明においては、上記ブラケットは、結合部よりも下方に位置する下部係止部をさらに備え、上記幕板は、ブラケットの下部係止部の下端部に下方から係止される下部被係止部をさらに備えていることが好ましい。
【００１０】
この構成によれば、幕板の下部被係止部とブラケットの下部係止部の下端部との係止により、いったん取り付けた幕板の上方移動がさらに困難となる。また、幕板をデッキに取り付ける際、まず、幕板の下部被係止部をブラケットの下部係止部の下端部に係止させ、次に、幕板の下部被係止部を中心として幕板をデッキの外方から内方側に回動させることにより、容易に幕板の被係止部を床板の周縁部の下方に挿入してブラケットの係止部に係止させることができる。
【００１１】
本発明においては、上記ブラケットは、ブラケットに取り付けられる幕板がその下部被係止部を中心としてデッキの外方から内方側に回動させられるときに幕板の被係止部をブラケットの係止部に案内する湾曲部をさらに備えることが好ましい。
【００１２】
この構成によれば、上記幕板の回動時に幕板の被係止部がブラケットの湾曲部に沿って円滑にブラケットの係止部に案内される。そのため、幕板の被係止部とブラケットの係止部との係止が確実に達成される。
【００１３】
本発明においては、上記湾曲部にスリットが設けられていることが好ましい。
【００１４】
この構成によれば、湾曲部の変形が容易となり、幕板の被係止部が無理なくブラケットの係止部に案内される。
【００１５】
本発明においては、上記幕板は、デッキの周縁部に取り付けられた状態で、床板の周縁部の上面を覆う上壁部をさらに備えていることが好ましい。
【００１６】
この構成によれば、幕板の外壁部と床板の周縁部との隙間が幕板の上壁部によって覆われるので、上記隙間からゴミやホコリ等の異物が侵入することが防がれる。
【発明の効果】
【００１７】
本発明によれば、ブラケットを介して幕板をデッキに容易に取り付けることができ、しかも幕板が外れるのを防止することができるデッキの幕板取り付け構造が提供されるから、現場での省施工性と外観に優れたデッキが得られる。
【図面の簡単な説明】
【００１８】
【図１】本発明の実施形態に係るデッキの斜視図である。
【図２】図１の状態から幕板を外した状態を示す斜視図である。
【図３】図２の状態から床板及びブラケットを取り除いた状態を示す斜視図である。
【図４】上記デッキで用いられる脚部材の斜視図である。
【図５】上記デッキで用いられる第１支持ユニットの斜視図である。
【図６】上記デッキで用いられる第２支持ユニットの斜視図である。
【図７】上記デッキで用いられる第３支持ユニットの斜視図である。
【図８】上記デッキで用いられるパネルの（ａ）は側面図、（ｂ）は平面図である。
【図９】上記デッキで用いられる平幕板の（ａ）はデッキ外方側からの斜視図、（ｂ）はデッキ内方側からの斜視図である。
【図１０】上記デッキで用いられるコーナー幕板のデッキ内方側からの斜視図である。
【図１１】上記デッキで用いられるブラケットの（ａ）は正面図、（ｂ）は縦断面図、（ｃ）は斜視図である。
【図１２】（ａ）は図２の矢印Ａによる拡大縦断面図、（ｂ）は矢印Ｂによる拡大縦断面図である。
【発明を実施するための形態】
【００１９】
（１）構成
図１〜図３に示すように、本実施形態に係るデッキ１は、施工地盤Ｇに立設された複数（本実施形態では１６）の脚部材１１１と、脚部材１１１の上に形成された格子状の支持体２と、支持体２の上に形成された床板３と、支持体２及び床板３の周縁部に取り付けられた化粧板としての幕板６１，６２とを有する。なお、デッキ１の建物Ｈ側は幕板６１，６２が不要なので取り付けられていない。
【００２０】
（１−１）脚部材
脚部材１１１は、図４に示すように、施工地盤Ｇと接する基部１１１ａと、上下方向に延びる四角柱状の支持部１１１ｂとを含む。支持部１１１ｂは、基部１１１ａに対して螺合しており、回転することにより高さ調節が可能である。
【００２１】
（１−２）支持体
支持体２は、図５に示す第１支持ユニット１２１と、図６に示す第２支持ユニット１３１と、図７に示す第３支持ユニット１４１とを含む。
【００２２】
第１支持ユニット１２１は、一対の第１フレーム１２１Ａ，１２１Ｂと、一対の第２フレーム１２１Ｃ，１２１Ｃとで、平面視矩形状に形成される。
【００２３】
一方の第１フレーム１２１Ａは、断面ロ字状の大引部１２１ａと、大引部１２１ａの上面に立設された根太部１２１ｄと、大引部１２１ａの下面に垂設された一対のフランジ部１２１ｆとを備える。大引部１２１ａの下面とフランジ部１２１ｆとで形成される断面コ字状の受け部１１２に脚部材１１１の支持部１１１ｂの上端部が嵌入される。大引部１２１ａの上面のうち根太部１２１ｄよりもユニット内方側の部分は、後述するパネル５１の台部材５３が載置される段部１２１ｘを形成する。
【００２４】
他方の第１フレーム１２１Ｂは、断面ロ字状の大引部１２１ｂと、大引部１２１ｂの上面に立設された根太部１２１ｄと、大引部１２１ｂの下面に垂設された単一のフランジ部１２１ｆとを備える。大引部１２１ｂの上面のうち根太部１２１ｄよりもユニット内方側の部分は、パネル５１の台部材５３が載置される段部１２１ｘを形成する。この第１フレーム１２１Ｂの大引部１２１ｂの幅は、上記第１フレーム１２１Ａの大引部１２１ａの幅の略半分である。
【００２５】
第２フレーム１２１Ｃは断面Ｌ字に形成され、Ｌ字の長辺がユニット内方側に位置し、短辺が大引部１２１ａ，１２１ｂの段部１２１ｘに結合される。
【００２６】
第１フレーム１２１Ａ，１２１Ｂの長さ方向中央部に、断面コ字状の中間フレーム１２１ｅが架設される。中間フレーム１２１ｅは大引部１２１ａ，１２１ｂの段部１２１ｘに結合される。中間フレーム１２１ｅにより、平面視で略正方形状の区画領域Ｒが２つ形成される。
【００２７】
第２支持ユニット１３１は、一対の第１フレーム１３１Ｂ，１３１Ｂと、一対の第２フレーム１３１Ｃ，１３１Ｃとで、平面視矩形状に形成される。
【００２８】
第１フレーム１３１Ｂは、それぞれ、上記第１支持ユニット１２１の他方の第１フレーム１２１Ｂに類似して、断面ロ字状の大引部１３１ｂと、大引部１３１ｂの上面に立設された根太部１３１ｄと、大引部１３１ｂの下面に垂設された単一のフランジ部１３１ｆとを備える。大引部１３１ｂの上面のうち根太部１３１ｄよりもユニット内方側の部分は、パネル５１の台部材５３が載置される段部１３１ｘを形成する。
【００２９】
第２フレーム１３１Ｃは断面Ｌ字に形成され、Ｌ字の長辺がユニット内方側に位置し、短辺が大引部１３１ｂの段部１３１ｘに結合される。
【００３０】
第１フレーム１３１Ｂの長さ方向中央部に、断面コ字状の中間フレーム１３１ｅが架設される。中間フレーム１３１ｅは大引部１３１ｂの段部１３１ｘに結合される。中間フレーム１３１ｅにより、平面視で略正方形状の区画領域Ｒが２つ形成される。
【００３１】
第３支持ユニット１４１は、一対の第１フレーム１４１Ａ，１４１Ｂと、一対の第２フレーム１４１Ｃ，１４１Ｃとで、平面視矩形状に形成される。
【００３２】
一方の第１フレーム１４１Ａは、断面ロ字状の大引部１４１ａと、大引部１４１ａの上面に立設された根太部１４１ｄと、大引部１４１ａの下面に垂設された一対のフランジ部１４１ｆとを備える。大引部１４１ａの下面とフランジ部１４１ｆとで形成される断面コ字状の受け部１１２に脚部材１１１の支持部１１１ｂの上端部が嵌入される。大引部１４１ａの上面のうち根太部１４１ｄよりもユニット内方側の部分は、パネル５１の台部材５３が載置される段部１４１ｘを形成する。
【００３３】
他方の第１フレーム１４１Ｂは、断面ロ字状の大引部１４１ｂと、大引部１４１ｂの上面に立設された根太部１４１ｄと、大引部１４１ｂの下面に垂設された単一のフランジ部１４１ｆとを備える。大引部１４１ｂの上面のうち根太部１４１ｄよりもユニット内方側の部分は、パネル５１の台部材５３が載置される段部１４１ｘを形成する。この第１フレーム１４１Ｂの大引部１４１ｂの幅は、上記第１フレーム１４１Ａの大引部１４１ａの幅の略半分である。
【００３４】
第２フレーム１４１Ｃは断面Ｌ字に形成され、Ｌ字の長辺がユニット内方側に位置し、短辺が大引部１４１ａ，１４１ｂの段部１４１ｘに結合される。
【００３５】
第１フレーム１４１Ａ，１４１Ｂの長さ方向中央部に、断面コ字状の中間フレーム１４１ｅが架設される。中間フレーム１４１ｅは大引部１４１ａ，１４１ｂの段部１４１ｘに結合される。中間フレーム１４１ｅにより、平面視で略正方形状の区画領域Ｒが２つ形成される。
【００３６】
脚部材１１１の上で、３つの第１支持ユニット１２１…１２１、３つの第２支持ユニット１３１…１３１、及び３つの第３支持ユニット１４１…１４１がそれぞれ直列に配置され、さらに相互に並列に配置されることにより、複数の支持ユニット１２１，１３１，１４１が全体として１つの格子状の支持体２を形成する（図３参照）。
【００３７】
（１−３）床板
床板３は、図８に示すパネル５１が支持体２の上に複数敷設されたものである。パネル５１は、床板部材５２と、床板部材５２の下面に設けられた一対の台部材５３とを含む。
【００３８】
床板部材５２は、３つの矩形状の床板構成部材５２ａが連結されて平面視で略正方形状に形成されたものである。床板部材５２の縦の長さ（床板構成部材５２ａの連結方向の長さ）Ｌ１及び横の長さ（床板構成部材５２ａの長手方向の長さ）Ｌ２は、床板部材５２が支持体２の区画領域Ｒを被覆可能な値に設定されている。
【００３９】
台部材５３は、床板部材５２の横の長さＬ２方向に所定の間隔Ｌ４で相互に離間し、床板部材５２の縦の長さＬ１方向にそれぞれ延びるように配置されている。台部材５３の長さＬ３及び上記間隔Ｌ４は、台部材５３が支持体２の区画領域Ｒ内で大引部１２１ａ，１２１ｂ，１３１ｂ，１４１ａ，１４１ｂの段部１２１ｘ，１３１ｘ，１４１ｘに載置可能な値に設定されている。
【００４０】
台部材５３の高さＨは、支持体２の根太部１２１ｄ，１３１ｄ，１４１ｄ、第２フレーム１２１Ｃ，１３１Ｃ，１４１Ｃ、及び中間フレーム１２１ｅ，１３１ｅ，１４１ｅの高さよりも若干高い値に設定されている。
【００４１】
パネル５１が支持体２の区画領域Ｒに１つずつ嵌め込まれることにより、床板部材５２が支持体２の上面に敷き詰められ、この敷き詰められた複数（本実施形態では１８）の床板部材５２が全体として１つの床板３を形成する（図２参照）。
【００４２】
なお、本実施形態では、図１及び図２に示したように、床板部材５２の横の長さＬ２がデッキ１の長手方向に沿うようにパネル５１を支持体２の上に敷設したが、床板部材５２及び区画領域Ｒはいずれも平面視で略正方形状であるから、支持体２に対するパネル５１の敷設方向を平面視で９０°ずらすことも可能である。つまり、床板部材５２の縦の長さＬ１がデッキ１の長手方向に沿うようにパネル５１を支持体２の上に敷設してもよい。
【００４３】
パネル５１が支持体２の区画領域Ｒに嵌め込まれたとき、床板部材５２の周縁部が、第１フレーム１２１Ａ，１２１Ｂ，１３１Ｂ，１４１Ａ，１４１Ｂの根太部１２１ｄ，１３１ｄ，１４１ｄ、及び第２フレーム１２１Ｃ，１３１Ｃ，１４１ＣのＬ字の長辺よりもユニット外方に突出する。そのため、床板３の周縁部の下方には、大引部１２１ａ，１２１ｂ，１３１ｂ，１４１ａ，１４１ｂの上面、及び第２フレーム１２１Ｃ，１３１Ｃ，１４１ＣのＬ字の短辺との間に空間（下方空間）Ｓ（図１２参照）が形成される。
【００４４】
（１−４）幕板
幕板は、デッキ１の側面に取り付けられる図９に示す平幕板６１と、デッキ１のコーナー部に取り付けられる図１０に示すコーナー幕板６２とを含む。両幕板６１，６２共、可撓性のある樹脂成形品である。
【００４５】
平幕板６１は、所定の上下方向の高さを有する外壁部６１ａと、外壁部６１ａの上端部からデッキ内方側に所定長さ延びる上壁部６１ｂと、外壁部６１ａの下端部からデッキ内方側に比較的短い所定長さ延びた後上方に曲折して所定長さ延びる上向き凸片６１ｃと、上向き凸片６１ｃにより外壁部６１ａの下端部内側に形成される凹溝（下部被係止部）６１ｄと、外壁部６１ａの比較的上部の位置からデッキ内方側に所定長さ延びる内方延設部６１ｅと、内方延設部６１ｅの内方端部から下方に比較的短い所定長さ延びる下向き凸片（被係止部）６１ｆとを備える。
【００４６】
コーナー幕板６２は、２つの平幕板６１が平面視で直交して連続した形状である。すなわち、コーナー幕板６２は、平面視でＬ字状（ただしＬ字の両辺は相互に同じ長さ）の  外壁部６２ａ、上壁部６２ｂ、上向き凸片６２ｃ、凹溝（下部被係止部）６２ｄ、内方延設部６２ｅ、及び下向き凸片（被係止部）６２ｆを備える。
【００４７】
幕板６１，６２の上壁部６１ｂ，６２ｂと内方延設部６１ｅ，６２ｅとの上下方向の間隔は、床板３の厚み（＝床板部材５２の厚み＝床板構成部材５２ａの厚み）よりも若干大きい値に設定されている。
【００４８】
幕板６１，６２がデッキ１の周縁部に取り付けられた状態において、外壁部６１ａ，６２ａは、支持体２及び床板３の周縁部の外方に配置され、幕板６１，６２の外観を構成する。上壁部６１ｂ，６２ｂは、床板３の周縁部の上面に対接し、外壁部６１ａ，６２ａと床板３の周縁部との隙間を覆って、上記隙間からゴミやホコリ等の異物が侵入するのを防ぐ。凹溝６１ｄ，６２ｄは、後述するブラケット１６１の下方延設部１６１ｄの下端部に下方から係止する。下向き凸片６１ｆ，６２ｆは、ブラケット１６１の上方延設部１６１ｆに上方から係止する。
【００４９】
本実施形態では、幕板６１，６２は、ビス止め等することなく、ブラケット１６１を介してデッキ１の周縁部に取り付けられる。これによれば、幕板６１，６２を貫通するビス等によって幕板６１，６２の外観が損なわるという不具合がない。
【００５０】
ブラケット１６１は、図１１に示すように、所定の上下方向の高さを有し、支持体２に結合される結合部１６１ａと、結合部１６１ａの中央部に形成された結合用ビス１６１ｖ（図１２参照）を貫通させるためのビス用孔１６１ｂと、結合部１６１ａの下端部からデッキ外方側に所定長さ延びる外方延設部１６１ｃと、外方延設部１６１ｃの外方端部から下方に比較的長い所定長さ延びる下方延設部（下部係止部）１６１ｄと、結合部１６１ａの上端部からデッキ外方側に上記外方延設部１６１ｃよりも短い所定長さ延びる上部外方延設部１６１ｅと、上部外方延設部１６１ｅの外方端部から上方に比較的短い所定長さ延びる上方延設部（係止部）１６１ｆと、上方延設部１６１ｆの上端部からデッキ外方側かつ下方に湾曲して所定長さ延びる湾曲部１６１ｇと、上記湾曲部１６１ｇから、上方延設部１６１ｆ、上部外方延設部１６１ｅ、及び結合部１６１ａの上部に亘って形成されたスリット１６１ｈとを備える。
【００５１】
幕板６１，６２がブラケット１６１に取り付けられた状態において、下方延設部１６１ｄの下端部に幕板６１，６２の凹溝６１ｄ，６２ｄが下方から係止され、上方延設部１６１ｆに幕板６１，６２の下向き凸片６１ｆ，６２ｆが上方から係止される。また、下方延設部１６１ｄの外面に幕板６１，６２の外壁部６１ａ，６２ａの下部が対接する。
【００５２】
図１〜図３から明らかなように、本実施形態では、ブラケット１６１は、支持体２における第３支持ユニット１４１の第１フレーム１４１Ａの外側面と、第１〜第３支持ユニット１２１，１３１，１４１の第２フレーム１２１Ｃ，１３１Ｃ，１４１Ｃの外側面とに配設される。前者の場合、ブラケット１６１の結合部１６１ａは、図１２（ａ）に示すように、第１フレーム１４１Ａの根太部１４１ｄの外面に結合用ビス１６１ｖで結合される。後者の場合、ブラケット１６１の結合部１６１ａは、図１２（ｂ）に示すように、第２フレーム１２１Ｃ，１３１Ｃ，１４１ＣのＬ字の長辺の外面に結合用ビス１６１ｖで結合される。
【００５３】
図１２（ａ）に示すように、パネル５１が支持体２の区画領域Ｒに嵌め込まれた状態で、床板部材５２の周縁部が第１フレーム１４１Ａの根太部１４１ｄよりもユニット外方に突出する。そのため、床板３の周縁部の下方には、第１フレーム１４１Ａの大引部１４１ａの上面との間に下方空間Ｓが形成される。同様に、図１２（ｂ）に示すように、パネル５１が支持体２の区画領域Ｒに嵌め込まれた状態で、床板部材５２の周縁部が第２フレーム１４１ＣのＬ字の長辺よりもユニット外方に突出する。そのため、床板３の周縁部の下方には、第２フレーム１４１ＣのＬ字の短辺との間に下方空間Ｓが形成される。
【００５４】
ブラケット１６１は、上記下方空間Ｓを利用して支持体２に結合される。具体的に、ブラケット１６１の下方延設部１６１ｄを除く、外方延設部１６１ｃ、結合部１６１ａ、上部外方延設部１６１ｅ、上方延設部１６１ｆ、及び湾曲部１６１ｇが、支持体２及び床板３の周縁部の外方から上記下方空間Ｓ内に嵌入される。そして、図１２（ａ）では、外方延設部１６１ｃが第１フレーム１４１Ａの大引部１４１ａの上面に対接し、結合部１６１ａが根太部１４１ｄの外面に対接した状態で、上記結合部１６１ａが根太部１４１ｄに結合される。図１２（ｂ）では、外方延設部１６１ｃが第２フレーム１４１ＣのＬ字の短辺の上面に対接し、結合部１６１ａが第２フレーム１４１ＣのＬ字の長辺の外面に対接した状態で、上記結合部１６１ａが第２フレーム１４１ＣのＬ字の長辺に結合される。いずれの場合も、上方延設部１６１ｆは、床板３の周縁部の下方、すなわち下方空間Ｓ内に配置される。
【００５５】
平幕板６１は、下向き凸片６１ｆが支持体２及び床板３の周縁部の外方から床板３の周縁部の下方（下方空間Ｓ内）に挿入されてブラケット１６１の上方延設部１６１ｆに係止されることにより、ブラケット１６１を介してデッキ１の周縁部に取り付けられている。本実施形態では、平幕板６１をデッキ１の周縁部に取り付ける際、図１２（ａ）及び図１２（ｂ）に鎖線で示すように、まず、平幕板６１の凹溝６１ｄをブラケット１６１の下方延設部１６１ｄの下端部に係止させ、次に、平幕板６１の凹溝６１ｄを中心として平幕板６１を支持体２及び床板３の周縁部の外方から内方に回動させることにより、平幕板６１の下向き凸片６１ｆを床板３の周縁部の下方（下方空間Ｓ内）に挿入してブラケット１６１の上方延設部１６１ｆに係止させることが容易に行える。
【００５６】
同様に、コーナー幕板６２は、下向き凸片６２ｆが支持体２及び床板３の周縁部の外方から床板３の周縁部の下方（下方空間Ｓ内）に挿入されてブラケット１６１の上方延設部１６１ｆに係止されることにより、ブラケット１６１を介してデッキ１の周縁部に取り付けられている。本実施形態では、コーナー幕板６２をデッキ１の周縁部に取り付ける際、まず、コーナー幕板６２の凹溝６２ｄをブラケット１６１の下方延設部１６１ｄの下端部に係止させ、次に、コーナー幕板６２の凹溝６２ｄを中心としてコーナー幕板６２を支持体２及び床板３の周縁部の外方から内方に回動させることにより、コーナー幕板６２の下向き凸片６２ｆを床板３の周縁部の下方（下方空間Ｓ内）に挿入してブラケット１６１の上方延設部１６１ｆに係止させることが容易に行える。
【００５７】
しかも、その場合、ブラケット１６１には、上方延設部１６１ｆの上端部からデッキ外方側かつ下方に湾曲して延びる湾曲部１６１ｇが備えられているから、ブラケット１６１の下方延設部１６１ｄに係止された幕板６１，６２の凹溝６１ｄ，６２ｄを中心とする幕板６１，６２の支持体２及び床板３の周縁部の外方から内方への回動時に、幕板６１，６２の下向き凸片６１ｆ，６２ｆがブラケット１６１の湾曲部１６１ｇに沿って円滑にブラケット１６１の上方延設部１６１ｆに案内される。そのため、幕板６１，６２の下向き凸片６１ｆ，６２ｆとブラケット１６１の上方延設部１６１ｆとの係止が確実に達成される。
【００５８】
また、その場合、前述したように、幕板６１，６２の上壁部６１ｂ，６２ｂと内方延設部６１ｅ，６２ｅとの上下方向の間隔が床板３の厚みよりも若干大きい値に設定されているから、上記幕板６１，６２の回動時に、幕板６１，６２の上壁部６１ｂ，６２ｂが床板３の周縁部の上面に対接する。
【００５９】
さらに、その場合、幕板６１，６２の下向き凸片６１ｆ，６２ｆが摺接ないし接触する湾曲部１６１ｇを含むブラケット１６１の上部には、幕板６１，６２の回動方向に沿ってスリット１６１ｈが複数形成されて、湾曲部１６１ｇを含むブラケット１６１の上部の剛性が調整されているから、湾曲部１６１ｇが容易に変形し、上記幕板６１，６２の回動、及び下向き凸片６１ｆ，６２ｆと上方延設部１６１ｆとの係止が、幕板６１，６２の下向き凸片６１ｆ，６２ｆを床板３の周縁部の下方（下方空間Ｓ内）に大きな力で無理に挿入することなく行える。そのため、幕板６１，６２の下向き凸片６１ｆ，６２ｆの破損や損傷が抑制される。
【００６０】
なお、図２から分かるように、支持体２のコーナー部には、第３支持ユニット１４１の第１フレーム１４１Ａ側のブラケット１６１と第２フレーム１４１Ｃ側のブラケット１６１とが相互に近接して配設されている。このコーナー部のブラケット１６１には、図１から分かるように、平幕板６１の端部とコーナー幕板６２の端部とが両方取り付けられる。これにより、各幕板６１，６２の端部が浮き上がることがなく、かつ、平幕板６１の端部とコーナー幕板６２の端部とが滑らかにつながり、直線が出て、幕板６１，６２の外観が損なわれない。
【００６１】
同様の理由から、図１及び図２から分かるように、デッキ１の長手方向の側面に取り付けられる２つの平幕板６１の相互に突合する端部同士も共通する単一のブラケット（図２においてデッキ１の長手方向の中央のブラケット）１６１に取り付けられる。つまり、これにより、各幕板６１，６１の端部が浮き上がることがなく、かつ、２つの平幕板６１の相互に突合する端部同士が滑らかにつながり、直線が出て、幕板６１，６１の外観が損なわれない。
【００６２】
また、図１及び図１２から分かるように、幕板６１，６２は、床板３及び第１〜第３支持ユニット１２１，１３１，１４１を隠すことが可能なように、つまり床板３及び支持体２を隠すことが可能なように、外壁部６１ａ，６２ａの上下方向の高さが設定されている。
【００６３】
（２）作用等
以上、図面を参照して詳しく説明したように、本実施形態では、幕板６１，６２がブラケット１６１を介してデッキ１の周縁部に取り付けられる。上記デッキ１は、脚部材１１１の上に形成された支持体２と、支持体２の上に形成された床板３とを備える。上記ブラケット１６１は、床板３の周縁部の下方、つまり下方空間Ｓ内において支持体２に結合される結合部１６１ａと、支持体２の被結合面から離間した位置において上方に突設された上方延設部１６１ｆとを備える。上記幕板６１，６２は、支持体２及び床板３の周縁部の外方に配置される外壁部６１ａ，６２ａと、外壁部６１ａ，６２ａからデッキ１の内方側に突出し、床板３の周縁部の下方（下方空間Ｓ内）に配置される内方延接部６１ｅ，６２ｅと、ブラケット１６１の上方延設部１６１ｆに上方から係止可能なように内方延接部６１ｅ，６２ｅから下方に突設された下向き凸片６１ｆ，６２ｆとを備える（図１２参照）。
【００６４】
この構成によれば、幕板６１，６２の内方延接部６１ｅ，６２ｅと下向き凸片６１ｆ，６２ｆとを床板３の周縁部の下方（床板３の周縁部の下面とブラケット１６１の上方延設部１６１ｆとの間）に挿入するだけで下向き凸片６１ｆ，６２ｆをブラケット１６１の上方延設部１６１ｆに係止させることができる。そのため、幕板６１，６２をデッキ１に容易に取り付けることができる。また、床板３の周縁部の下方（下方空間Ｓ内）で、幕板６１，６２の下向き凸片６１ｆ，６２ｆがブラケット１６１の上方延設部１６１ｆに上方から係止しているので、ブラケット１６１を介してデッキ１の周縁部にいったん取り付けた幕板６１，６２は、上方に外そうとすると、幕板６１，６２の下向き凸片６１ｆ，６２ｆないし内方延設部６１ｅ，６２ｅが床板３の周縁部の下面に当接して外れず、外方に外そうとすると、幕板６１，６２の下向き凸片６１ｆ，６２ｆとブラケット１６１の上方延設部１６１ｆとの係止により外れない。そのため、幕板６１，６２が外れるのを防止することができる。これにより、ブラケット１６１を介して幕板６１，６２をデッキ１に容易に取り付けることができ、しかも幕板６１，６２が外れるのを防止することができるデッキ１の幕板取り付け構造が提供される。
【００６５】
本実施形態では、上記ブラケット１６１は、結合部１６１ａよりも下方に位置する下方延設部１６１ｄをさらに備え、上記幕板６１，６２は、ブラケット１６１の下方延設部１６１ｄの下端部に下方から係止される凹溝６１ｄ，６２ｄをさらに備えている。
【００６６】
この構成によれば、幕板６１，６２の凹溝６１ｄ，６２ｄとブラケット１６１の下方延設部１６１ｄの下端部との係止により、いったん取り付けた幕板６１，６２の上方移動がさらに困難となる。また、幕板６１，６２をデッキ１に取り付ける際、まず、幕板６１，６２の凹溝６１ｄ，６２ｄをブラケット１６１の下方延設部１６１ｄの下端部に係止させ、次に、幕板６１，６２の凹溝６１ｄ，６２ｄを中心として幕板６１，６２をデッキ１の外方から（支持体２及び床板３の周縁部の外方から）内方側に回動させることにより、容易に幕板６１，６２の下向き凸片６１ｆ，６２ｆを床板３の周縁部の下方（下方空間Ｓ内）に挿入してブラケット１６１の上方延設部１６１ｆに係止させることができる。
【００６７】
本実施形態では、上記ブラケット１６１は、ブラケット１６１に取り付けられる幕板６１，６２がその凹溝６１ｄ，６２ｄを中心としてデッキ１の外方から内方側に回動させられるときに幕板６１，６２の下向き凸片６１ｆ，６２ｆをブラケット１６１の上方延設部１６１ｆに案内する湾曲部１６１ｇをさらに備えている。
【００６８】
この構成によれば、上記幕板６１，６２の回動時に幕板６１，６２の下向き凸片６１ｆ、６２ｆがブラケット１６１の湾曲部１６１ｇに沿って円滑にブラケット１６１の上方延設部１６１ｆに案内される。そのため、幕板６１，６２の下向き凸片６１ｆ，６２ｆとブラケット１６１の上方延設部１６１ｆとの係止が確実に達成される。
【００６９】
本実施形態では、上記湾曲部１６１ｇにスリット１６１ｈが設けられている。
【００７０】
この構成によれば、湾曲部１６１ｇの変形が容易となり、幕板６１，６２の下向き凸片６１ｆ，６２ｆが無理なくブラケット１６１の上方延設部１６１ｆに案内される。
【００７１】
本実施形態では、上記幕板６１，６２は、デッキ１の周縁部に取り付けられた状態で、床板３の周縁部の上面を覆う上壁部６１ｂ，６２ｂをさらに備えている。
【００７２】
この構成によれば、幕板６１，６２の外壁部６１ａ，６２ａと床板３の周縁部との隙間が幕板６１，６２の上壁部６１ｂ，６２ｂによって覆われるので、上記隙間からゴミやホコリ等の異物が侵入することが防がれる。
【００７３】
なお、幕板６１，６２の上壁部６１ｂ，６２ｂは省略してもよい。また、ブラケット１６１の下方延設部１６１ｄ及び幕板６１，６２の外壁部６１ａ，６２ａは短くすることができる。また、ブラケット１６１の湾曲部１６１ｇも省略しても構わない。さらに、平幕板６１をデッキ１のコーナー部まで延長し、隣接する平幕板６１の端部同士を相互に突き合わせることにより、コーナー幕板６２を省略することもできる。
【符号の説明】
【００７４】
１              デッキ
２              支持体
３              床板
６１            平幕板（幕板）
６２            コーナー幕板（幕板）
６１ａ，６２ａ  外壁部
６１ｂ，６２ｂ  上壁部
６１ｄ，６２ｄ  凹溝（下部被係止部）
６１ｅ，６２ｅ  内方延接部
６１ｆ，６２ｆ  下向き凸片 (被係止部）
１１１          脚部材
１６１          ブラケット
１６１ａ        結合部
１６１ｄ        下方延設部（下部係止部）
１６１ｆ        上方延設部（係止部）
１６１ｇ        湾曲部
１６１ｈ        スリット
Ｓ              下方空間
【図１】
2016044441.tif 000003
【図２】
2016044441.tif 000004
【図３】
2016044441.tif 000005
【図４】
2016044441.tif 000006
【図５】
2016044441.tif 000007
【図６】
2016044441.tif 000008
【図７】
2016044441.tif 000009
【図８】
2016044441.tif 000010
【図９】
2016044441.tif 000011
【図１０】
2016044441.tif 000012
【図１１】
2016044441.tif 000013
【図１２】
2016044441.tif 000014